(57)【要約】  【課題】  複数の検査に関する読影を行う際に、ワークリストを表示させて次に読影を行うべき検査を選択する手間を省くことができる読影支援システムを提供する。  【解決手段】  読影支援システムは、（１）画像サーバと、（２）複数の読影順条件を格納する読影順条件格納部と、各検査に関する情報及び読影レポートデータを格納する読影レポートデータ格納部と、画像入力状態監視手段とを有する読影レポートサーバと、（３）読影順条件を選択する読影順条件選択手段と、選択された読影順条件に従って検査に関する情報を検索することにより次に読影を行うべき検査を決定する読影順決定手段と、決定された検査に関する情報に基づいて読影レポート作成画面を表示させる情報入力手段とを有する読影レポート作成装置と、（４）決定された検査に関する画像データに基づいて医用画像を表示する画像表示端末とを具備する。【選択図】  図２
2007094513.tif 000002
【特許請求の範囲】
【請求項１】
医用画像の撮影後に読影医によって行なわれる読影を支援するための読影支援システムであって、
医用画像を表す画像データを格納する画像サーバと、
複数の読影順条件を格納する読影順条件格納部と、各検査に関する情報及び読影レポートデータを格納する読影レポートデータ格納部と、前記読影レポートデータ格納部に情報が格納されている検査について、前記画像サーバにおける画像データの入力状態を監視する画像入力状態監視手段とを有する読影レポートサーバと、
読影レポートを作成するために用いられる読影レポート作成画面を表示する表示部と、前記読影順条件格納部に格納されている複数の読影順条件の内から１つの読影順条件を選択する読影順条件選択手段と、前記読影順条件選択手段によって選択された読影順条件に従って前記読影レポートデータ格納部に格納されている検査に関する情報を検索することにより次に読影を行うべき検査を決定する読影順決定手段と、前記読影順決定手段によって決定された検査に関する情報に基づいて読影レポート作成画面を前記表示部に表示させる情報入力手段とを有する読影レポート作成装置と、
前記画像サーバに格納されている、前記読影順決定手段によって決定された検査に関する画像データに基づいて医用画像を表示する画像表示端末と、
を具備する読影支援システム。
【請求項２】
前記読影レポート作成装置が、ユーザによって入力される情報に基づいて読影順条件を設定し、設定された読影順条件を前記読影順条件格納部に格納する読影順条件設定手段をさらに有する、請求項１記載の読影支援システム。
【請求項３】
前記読影順条件格納部が、ユーザのアカウントに対応する読影順条件、及び、施設に共通の読影順条件を別個に格納する、請求項１又は２記載の読影支援システム。
【請求項４】
前記読影順条件格納部が、読影順条件として、条件名と、読影レポートデータの検索条件に関する情報と、読影の優先順位に関する情報と、ユーザ又は施設に関するアカウントとを対応して格納する、請求項１〜３のいずれか１項記載の読影支援システム。
【請求項５】
前記読影順条件選択手段が、選択された読影順条件において設定されている検査項目毎に、読影レポートが未確定となっている検査の数を表示部に表示させる、請求項１〜４のいずれか１項記載の読影支援システム。
【請求項６】
前記読影順条件選択手段が、前記読影順条件格納部に格納されている複数の読影順条件の内から、ログオンしているユーザのアカウントに対応する読影順条件、又は、施設に共通の読影順条件を選択する、請求項１〜５のいずれか１項記載の読影支援システム。
【請求項７】
前記読影順決定手段が、緊急の読影依頼が発生した場合に、緊急の読影依頼に関する検査を読影順の最高位にすると共に、該検査を特定する情報を前記情報入力手段に出力する、請求項１〜６のいずれか１項記載の読影支援システム。
【請求項８】
前記読影順決定手段が、最新の情報に基づいて読影順を更新する、請求項１〜７のいずれか１項記載の読影支援システム。
【請求項９】
前記読影順決定手段が、読影順の更新を停止してユーザが読影順を変更できるようにする機能を有する、請求項８記載の読影支援システム。
【請求項１０】
前記情報入力手段が、前記読影順決定手段によって決定された読影順で、読影レポート作成画面を前記表示部に表示させる、請求項１〜９のいずれか１項記載の読影支援システム。
【請求項１１】
前記情報入力手段が、緊急の読影依頼が発生した場合に、前記表示部における表示を変更することによりユーザに通報する、請求項１〜１０のいずれか１項記載の読影支援システム。
【請求項１２】
前記情報入力手段が、緊急の読影依頼が発生した場合に、作成中の読影レポートの表示を一旦終了して読影レポートデータを前記読影レポートデータ格納部に格納すると共に、緊急の読影依頼の検査に関する読影レポート作成画面を表示し、緊急の読影依頼の検査に関する読影レポートの作成が完了した際に、一旦終了された読影レポートの表示を再開する、請求項１〜１１のいずれか１項記載の読影支援システム。
【請求項１３】
前記読影レポート作成装置が、前記読影順決定手段によって決定された読影順を一覧表示するワークリストを作成するワークリスト作成手段をさらに有する、請求項１〜１２のいずれか１項記載の読影支援システム。
【請求項１４】
前記ワークリスト作成手段が、読影順の更新を停止してユーザがワークリストにおける読影順を変更できるようにする機能を有する、請求項１３記載の読影支援システム。
【請求項１５】
前記ワークリスト作成手段が、緊急の読影依頼が発生した場合に、前記表示部における表示を変更することによりユーザに通報する、請求項１３又は１４記載の読影支援システム。
【請求項１６】
前記画像入力状態監視手段が、前記画像サーバを定期的に監視して、前記画像サーバに画像データが入力された検査について、前記読影レポートデータ格納部に格納されている検査に関する情報に含まれているステータス情報を更新する、請求項１〜１５のいずれか１項記載の読影支援システム。
【発明の詳細な説明】
【技術分野】
【０００１】
本発明は、画像による医療診断のために用いられる検査画像（医用画像）の撮影後に医師によって行われる読影を支援するための読影支援システムに関する。
【背景技術】
【０００２】
近年、ＣＲ（computed radiography：コンピュータ放射線撮影）、ＭＲＩ（magnetic resonance imaging：磁気共鳴撮影）、ＣＴ（computed tomography：コンピュータ断層撮影）等の医用ディジタル画像生成技術の普及に伴い、検査によって取得された医用画像を電子的に管理することが行われている。
【０００３】
一般に、撮像検査が行われた場合には、患者に対して担当医による具体的な診断が下される前に、生成された医用画像について読影医による読影が行われ、読影結果や所見が記入された読影レポートが作成される。従来は、ディジタル画像データが生成された場合においても、読影の際には、写真フィルムにハードコピーされた医用画像が用いられていたが、高精細な画像モニタ（ビューワ）の開発に伴い、モニタ上に表示された医用画像を読影することも行われるようになっている。
【０００４】
一般に、医用画像の読影は、読影レポートを作成する対象となる検査を一覧表示したワークリストに基づいて行われる。読影医は、ワークリストに含まれている複数の検査の内から、次に読影を行うべき検査を選択することにより、これらの検査についての読影を順次行っていく。しかしながら、新たな読影を行うためには、ワークリストを一旦表示させて、次に読影を行うべき検査をワークリストにおいて選択するという操作を行わなければならないので、読影レポートを作成する効率が低下してしまうという問題があった。
【０００５】
関連する技術として、特許文献１には、端末装置上で画像データの読影を行うときに、読影の順序決定に気を遣わないで、対象患者の選択を容易に、且つ効率良く行うことができる医用画像保管通信システムが開示されている。この医用画像保管通信システムは、医用画像診断装置により生成される画像データを保管する画像保管装置と、上記画像データを表示する端末装置とによって構成される。医用画像保管通信システムは、上記画像データを上記画像保管装置から上記端末装置へ緊急に配送するか、通常に配送するかの情報を記録する情報記録手段と、上記画像データが上記画像保管装置に登録されたときの登録時刻を記録する登録記録手段と、上記登録時刻と上記情報に基づいて、上記登録時刻の早い順に、且つ緊急に配送する上記画像データを通常に配送する上記画像データよりも優先的に配送させるように配送順序を決定する順序決定手段と、この順序決定手段により決定された配送順序に従って上記画像データを上記画像保管装置から上記端末装置へ配送するように指示を出す配送指示手段と、この配送指示手段により配送指示が出された時刻を記録する配送記録手段と、上記情報と上記配送指示時刻とに基づいて検査に関するリストを作成及び表示するリスト作成表示手段と、このリスト作成表示手段により表示された上記リストの先頭から手動で選択された上記画像データを上記端末装置に表示する画像表示手段とを備えている。
【０００６】
また、特許文献２には、読影医の要望に応じた方法で参照すべき過去画像の検索を容易に行うことができ、適切な参照画像を表示することのできる医用画像表示システムが開示されている。この医用画像表示システムは、読影すべき医用画像に関連する参照画像として、保存された医用画像を表示可能な医用画像表示システムであって、前記医用画像と付帯情報とを関連付けて保存する保存手段と、前記付帯情報に関する検索条件を入力する入力手段と、入力された検索条件に合致する付帯情報を検索する手段と、検索された付帯情報、及び／又は、当該付帯情報に対応する医用画像を表示する表示手段とを有し、検索された付帯情報に対応する医用画像を参照画像として選択可能である。
【０００７】
特許文献１においては、検査終了時に相当する画像登録時刻と、患者が緊急扱いか否かの情報とに基づいて、ワークリストの自動作成が行われる。また、特許文献２においては、ワークリストを作成する際に、付帯情報に関する検索条件を任意に入力することができるので、検索条件に合致する付帯情報に対応する医用画像を参照画像として選択することが可能となる。しかしながら、いずれにしても、読影医が読影を行う際には、ワークリストを一旦表示させて、次に読影を行うべき検査をワークリストにおいて選択するという操作を行う必要があり、これが読影レポート作成の効率を落としている。
【特許文献１】特開平７−１７５８７４号公報（第２−３頁、図１）
【特許文献２】特開２００５−８５２００号公報（第３頁、図１）
【発明の開示】
【発明が解決しようとする課題】
【０００８】
そこで、上記の点に鑑み、本発明は、複数の検査に関する読影を行う際に、ワークリストを表示させて次に読影を行うべき検査を選択する手間を省くことができる読影支援システムを提供することを目的とする。
【課題を解決するための手段】
【０００９】
上記課題を解決するため、本発明の１つの観点に係る読影支援システムは、医用画像の撮影後に読影医によって行なわれる読影を支援するための読影支援システムであって、（１）医用画像を表す画像データを格納する画像サーバと、（２）複数の読影順条件を格納する読影順条件格納部と、各検査に関する情報及び読影レポートデータを格納する読影レポートデータ格納部と、読影レポートデータ格納部に情報が格納されている検査について、画像サーバにおける画像データの入力状態を監視する画像入力状態監視手段とを有する読影レポートサーバと、（３）読影レポートを作成するために用いられる読影レポート作成画面を表示する表示部と、読影順条件格納部に格納されている複数の読影順条件の内から１つの読影順条件を選択する読影順条件選択手段と、読影順条件選択手段によって選択された読影順条件に従って読影レポートデータ格納部に格納されている検査に関する情報を検索することにより次に読影を行うべき検査を決定する読影順決定手段と、読影順決定手段によって決定された検査に関する情報に基づいて読影レポート作成画面を表示部に表示させる情報入力手段とを有する読影レポート作成装置と、（４）画像サーバに格納されている、読影順決定手段によって決定された検査に関する画像データに基づいて医用画像を表示する画像表示端末とを具備する。
【発明の効果】
【００１０】
本発明によれば、ユーザ（例えば、読影医）又は施設等に応じて選択された読影順条件に従って読影レポートデータ格納部に格納されている読影レポートデータを検索することにより次に読影を行うべき検査を決定するので、現在作成している読影レポートが完成すると、次に読影を行うべき検査のレポート作成画面が自動的に表示される。従って、ワークリストを表示させて次の検査を選択する手間を省いて、効率良く読影レポートを作成することが可能となる。
【発明を実施するための最良の形態】
【００１１】
以下、本発明を実施するための最良の形態について、図面を参照しながら詳しく説明する。なお、同一の構成要素には同一の参照番号を付して、説明を省略する。
図１は、本発明の一実施形態に係る読影支援システムの構成を示すブロック図である。読影支援システム１０は、読影レポート作成装置１と、少なくとも１つの画像表示端末（ビューワ）２と、画像サーバ３と、読影レポートサーバ４とを含んでいる。また、読影支援システム１０は、ＲＩＳ（radiology information system：放射線科情報管理システム）５、及び、ＣＲ装置６ａ、ＣＴ装置６ｂ、ＭＲＩ装置６ｃ等の撮影モダリティに接続されていても良い。図１に示すように、これらの装置は、ＬＡＮ（ローカル・エリア・ネットワーク）等のネットワークを介して相互に接続されていても良い。
【００１２】
図１に示すように、読影レポート作成装置１は、表示部１００及び入力部１１０を備えている。表示部１００は、各種の操作画面を表示するための表示装置である。また、入力部１１０は、キーボードやマウス等の入力装置である。図１は、ユーザによって入力されたテキスト情報が表示される所見入力領域１０１とキー画像１０２とを含む読影レポート作成画面１０３が、表示部１００に表示された状態を示している。ここで、キー画像とは、１回の検査によって得られた一連の画像の内で、読影の鍵になると読影医によって判断された画像のことであり、１つの検査について、少なくとも１つの画像がキー画像として設定される。ユーザは、画像表示端末２に表示された検査画像を観察しながら、表示部１００に表示された読影レポート作成画面１０３に、入力部１１０を用いてテキスト情報等を入力することにより、読影レポートを作成する。
【００１３】
画像表示端末２は、読影対象となっている検査画像を表示するための端末装置であり、高精細なディスプレイを備えている。図１においては、２つの画像表示端末２が示されているが、読影に際しては、少なくとも１つの画像表示端末２が用いられ、３つ以上の画像表示端末２が用いられても良い。
【００１４】
画像サーバ３は、例えば、ＣＲ装置６ａ、ＣＴ装置６ｂ、ＭＲＩ装置６ｃ等の撮影モダリティによって取得された画像データを保管及び管理するＰＡＣＳ（Picture Archiving and Communication System：医用画像情報システム）用のサーバである。画像サーバ３は、医用画像を表す画像データを格納し、読影レポート作成装置１の要求に従って、所望の画像データを読影レポート作成装置１に出力する。
【００１５】
読影レポートサーバ４は、各検査に関する情報、及び、各検査に関する読影レポートを表す読影レポートデータを格納し、読影レポート作成装置１の要求に従って、所望の読影レポートデータを読影レポート作成装置１に出力する。
【００１６】
ＲＩＳ５は、放射線科における放射線検査を管理するためのサーバであり、入力用端末によって入力された患者情報や検査情報等に基づいて、検査スケジュールの管理や、撮影モダリティへの検査のオーダーや、撮像が終了した検査について読影のオーダーを行う。読影のオーダーは、各検査に関する情報（患者情報、検査情報等）を含んでおり、読影レポートサーバ４に格納される。
【００１７】
図２は、図１に示す読影支援システムの詳細な構成を示すブロック図である。図２に示すように、読影レポート作成装置１は、先に説明した表示部１００及び入力部１１０に加えて、中央演算装置（以下、ＣＰＵという）１２０と、画像サーバ３から入力される画像データや読影レポートサーバ４から入力される読影レポートデータ等を一旦記憶するメモリ１３０と、記録媒体としてのハードディスク１４１を制御するハードディスク制御部１４０と、ネットワークインタフェース１５０とを含んでいる。これらは、バスラインを介して相互に接続されている。また、ＣＰＵ１２０は、ネットワークインタフェース１５０を介して、ネットワークに接続される。
【００１８】
ハードディスク１４１には、ＣＰＵ１２０に処理を行わせるためのソフトウェア（プログラム）が記録されている。なお、記録媒体としては、内蔵のハードディスク１４１の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００１９】
また、読影レポートサーバ４は、読影順条件格納部４１と、読影レポートデータベース４２と、画像入力状態監視部４３とを含んでいる。読影順条件格納部４１は、後で説明する複数の読影順条件を格納するために用いられる。読影レポートデータベース４２は、例えばＲＩＳ５（図１）から送られてくる複数の検査に関する情報と、それらの検査についてそれぞれ作成された複数の読影レポートを表す複数種類の読影レポートデータを格納する。画像入力状態監視部４３は、画像サーバ３を定期的に監視して、読影レポートデータベース４２に情報が格納されている検査について、画像サーバ３に画像データが入力された場合に、読影レポートデータベース４２に格納されている検査に関する情報に含まれているステータス情報を更新する。
【００２０】
次に、読影レポート作成装置１において、ＣＰＵ１２０とソフトウェア（プログラム）とによって構成される複数の機能ブロックについて説明する。これらの機能ブロックは、読影順条件設定部１１と、読影順条件選択部１２と、読影順決定部１３と、ワークリスト作成部１４と、情報入力部１５と、画像データ取得部１６と、画像データ出力部１７とを含んでいる。
【００２１】
ユーザ（例えば、読影医）は、読影を行うべき検査の順番を決定するために、複数の検査に関する検索条件及び優先順位を規定する読影順条件を、読影レポートサーバ４の読影順条件格納部４１に設定しておくことができる。そのために、読影レポート作成装置１の読影順条件設定部１１は、ユーザが入力した読影順条件を、読影順条件格納部４１に保存したり、読影順条件格納部４１から読み出す。ユーザは、表示部１１０に表示される読影レポート作成画面に従って、読影順条件の設定又は選択や、読影レポートの作成を行う。
【００２２】
図３は、読影レポート作成装置の表示部に表示される読影レポート作成画面を示す模式図である。読影レポート作成画面５０には、読影順条件を設定するために用いられる読影順条件設定領域５１が含まれている。読影順条件設定領域５１には、ワークリスト表示を行うための指示ボタン（ワークリスト表示）と、読影順条件の追加又は変更を行うための指示ボタン（読影順条件追加）とが表示されており、これによって、読影レポート作成画面５０を、ワークリスト表示画面、又は、読影順条件設定画面に切り換えることができる。読影順条件追加の指示ボタンを押下すると、読影順条件設定部１１が、読影順条件設定画面を表示部１００に表示させる。
【００２３】
図４は、読影レポート作成装置の表示部に表示される読影順条件設定画面を示す模式図である。読影順条件設定画面６０には、検査項目名、患者情報（患者ＩＤ、患者氏名等）、検査情報（検査日、検査種、部位）等を設定するための欄の他に、読影における優先順位を設定するための優先順位設定領域６１が含まれている。
【００２４】
例えば、図４においては、読影順条件設定画面６０の検査項目名の欄において「ＣＴ画像」が設定され、検査種の欄において「ＣＴ」が設定されている。この場合には、様々な撮影モダリティによって行われた検査の内で、ＣＴ装置によって行われた検査のみが選択される。また、画像入力状況について「画像サーバ入力」という設定を行った場合には、画像サーバに画像データが入力された検査のみが選択される。
【００２５】
優先順位設定領域６１には、ＲＩＳ等から発行されるオーダー（依頼情報）に含まれている緊急のステータス情報をソート順序に反映させるか否かを設定する有効ボタン６２及び無効ボタン６３や、依頼情報に含まれている至急又は通常のステータス情報をソート順序に反映させるか否かを設定する有効ボタン６４及び無効ボタン６５が表示される。また、検査日時をソート順序に反映させるか否かを設定するボタン（「降順」、「昇順」、「指定なし」）や、入院外来区分をソート順序に反映させるか否かを設定するボタン（「入院優先」、「外来優先」、「指定なし」）が表示される。
【００２６】
例えば、依頼情報に含まれている優先レベルの設定を有効にする有効ボタン６２及び６４が押下された場合には、読影順決定部１３が、緊急・至急・通常等の優先順位を表すステータス情報に基づいて、読影を行うべき検査の順番を決定する。
【００２７】
その場合に、緊急のステータス情報が存在する場合には、常に最高位の優先順位とする。また、複数の検査が同一レベルの優先順位となっている場合には、２次的な優先順位として、検査日時の「昇順」を選択することにより、先に実施した検査についての読影を優先したり、入院外来区分の「外来」を選択することにより、外来患者の検査についての読影を優先することが可能である。
【００２８】
ユーザが、図４に示す読影順条件設定画面６０に従って、読影順条件に関する情報を入力することにより読影順条件を設定すると、読影順条件設定部１１は、設定された読影順条件に管理用の読影順条件ＩＤを割り当てて、図５に示すような読影順条件格納テーブルとして、読影レポートサーバ４の読影順条件格納部４１に格納する。
【００２９】
図５は、読影順条件格納テーブルを示す図である。図５に示すように、例えば、読影順条件ＩＤ「００１」によって特定される読影順条件は、条件名として「ＣＴ画像」と、検索キー情報として「（ＣＴ）￥検査種」と、優先順位設定情報として「検査日時（昇順）＋入院外来区分（外来優先）」と、設定された読影順条件の所有者（ユーザ個人又は施設共通等）を表す所有判別情報として「Fuji.Tarou」とを含んでいる。
【００３０】
再び図２を参照すると、読影を行う際には、ユーザが読影レポート作成装置１にログインすると、読影順条件選択部１２が、ユーザ又は施設の固有情報（例えば、アカウント）に対応して、読影レポートサーバ４の読影順条件格納部４１から、該当する読影順条件を選択する。読影順決定部１３は、選択された読影順条件に従って、読影レポートサーバ４の読影レポートデータベース４２において検査に関する情報の検索を行う。
【００３１】
読影順決定部１３は、検索された検査に関する情報から、検査ＩＤ、ステータス情報、検査情報等を取得する。ステータス情報は、検査の状態を表しており、読影レポートが確定されたか否かに関する情報も含まれている。読影順条件選択部１２は、図３に示す読影レポート作成画面５０において、選択された読影順条件において設定されている検査項目、及び、それらの検査項目毎に読影レポートが未確定となっている検査の数を、読影順条件設定領域５１に表示させる。
【００３２】
読影順条件設定領域５１には、全検査の内から選択された検査項目として、「ＣＴ画像」、「単純撮影」、「施設共通」等が表示されている。カッコ内の数字は、読影レポートが未確定となっている検査の数を表している。カッコ内の数字により、読影レポート作成の進捗状況を把握することができる。また、一度検査に関する情報を検索した後に検査の数が変更された場合には、その欄の文字が太字で表示される（図３においては、「単純撮影」の欄）。
【００３３】
また、読影順決定部１３は、読影順条件及び検査に関する情報に基づいて、読影レポートが未確定、又は、未だ作成されていない複数の検査を優先順位に従ってソートすることにより、読影を行うべき検査の順番を決定し、決定された検査の順番を、読影順リストとして、メモリ１３０又はハードディスク１４１等に格納する。これにより、次に読影を行うべき検査が決定される。さらに、読影順決定部１３は、決定された検査の順番に従って、次に読影を行うべき検査の検査ＩＤを、情報入力部１５及び画像データ取得部１６に出力する。
【００３４】
情報入力部１５は、その検査ＩＤに対応する読影レポートデータを、読影レポートサーバ４の読影レポートデータベース４２において検索する。情報入力部１５は、読影レポートデータベース４２にその読影レポートデータが存在する場合には、その読影レポートデータを読出し、読影レポートデータベース４２にその読影レポートデータが存在しない場合には、その検査に関する患者情報等に基づいて新たな読影レポートデータを作成し、その検査についての読影レポート作成画面（図３）を表示部１００に表示させる。また、画像データ取得部１６は、その検査ＩＤに対応する画像データを画像サーバ３から取得して、画像データ出力部１７が、画像データを画像表示端末２に出力することにより、その検査についての医用画面を画像表示端末２に表示させる。
【００３５】
これにより、ユーザは、ワークリスト画面と読影レポート作成画面とを交互に見ながら検査を選択する必要がなくなり、読影レポート作成画面を連続的に見ながら複数の検査について読影レポートを連続して作成することができる。
【００３６】
また、読影順決定部１３は、読影順が常に最新となるように、最新の情報に基づいて、読影レポートの記入完了直後、又は、定期的に、読影順リストを更新する。これにより、複数の検査についての読影レポートを連続して作成している際に緊急の読影依頼があった場合にも、優先順位の高い検査についての読影レポートを先に作成することができる。
【００３７】
ここで、緊急の読影依頼が外部から通知されたときの動作について説明する。読影順決定部１３は、緊急指定が有効となっている場合には、緊急の読影依頼に関する検査を読影順の最高位に配置し、この検査についての検査ＩＤを情報入力部１５及び画像データ取得部１６に出力する。情報入力部１５は、緊急の読影依頼を受け取ると、その旨をユーザに通知するための通報を行う。この通報は、専用アイコンを表示したり、画面の色を変化させたり、ブザー音や画面フラッシュ等の手段を用いて行われる。
【００３８】
さらに、情報入力部１５は、ダイアログ等を表示することにより、現在行われている読影レポートの作成を中止する許可をユーザに問い合わせた上で、許可が得られたならば、現在作成している読影レポートを読影レポートデータベース４２に保存して読影レポート作成画面を一旦終了させる。その後、情報入力部１５は、緊急の読影依頼によって優先的に読影される検査の患者情報等を記入した読影レポート作成画面を表示部１００に表示する。
【００３９】
また、画像データ取得部１６は、緊急の読影依頼によって優先的に読影される検査についての画像データを画像データベース３から取得して、画像データ出力部１７に出力する。画像データ出力部１７は、画像データ取得部１６から入力した画像データを画像表示端末２に出力することにより、現在表示されている画像の表示を中止させて、緊急の読影依頼によって優先的に読影される検査についての画像を画像表示端末２に表示させる。
【００４０】
情報入力部１５は、緊急の読影依頼によって優先的に読影される検査について、ユーザによって所見が入力されると、その読影レポートデータと、読影が完了して読影レポートデータが確定した状態を表すステータス情報とを、読影レポートデータベース４２に格納する。その後、情報入力部１５は、一旦終了された作成途中の読影レポートを表示部１００に再び表示させ、画像データ取得部１６は、一旦終了された読影途中の画像を画像表示端末２に再び表示させる。
【００４１】
あるいは、本実施形態において、ワークリストを表示するモードを設けることも可能である。その場合には、ワークリスト作成部１４が、読影順決定部１３によって決定された読影順に基づいてワークリストを作成し、表示部１００に表示する。
【００４２】
図６は、ワークリスト作成部１４によって作成されるワークリストを示す模式図である。図６の（ａ）は、ワークリストの自動更新を指示するリスト更新がオンしている状態を示しており、図６の（ｂ）は、リスト更新がオフしている状態を示している。図６の（ａ）に示すように、リスト更新がオンしている状態においては、読影順が常に最新となるように、読影レポートの記入完了直後、又は、定期的に、ワークリストが更新される。
【００４３】
一方、図６の（ｂ）に示すように、リスト更新がオフしている状態においては、ワークリストは更新されない。その間に、ユーザは、ワークリストに表示されている複数の検査の読影順を変更することができる。読影順の変更は、ワークリストにおける１つ又は複数の行を選択し、上下ボタンを押すことにより行われる。ただし、リスト更新がオフしている状態であっても、緊急依頼があった場合には、その旨が通知される。
【００４４】
ワークリスト表示モードにおいては、ユーザが、表示されたワークリストの中から、次に読影を行うべき１つの検査を選択すると、ワークリスト作成部１４は、ユーザの選択した検査の検査ＩＤを情報入力部１５及び画像データ取得部１６に出力する。
【００４５】
情報入力部１５は、その検査ＩＤに対応する読影レポートデータを読影レポートサーバ４の読影レポートデータベースから取得するか、又は、その検査ＩＤに対応する新たな読影レポートデータを作成することにより、その検査についての読影レポート作成画面（図３）を表示部１００に表示させる。また、画像データ取得部１６は、その検査ＩＤに対応する画像データを画像サーバ３から取得して、画像データ出力部１７が、取得された画像データを画像表示端末２に出力することにより、その検査についての医用画面を画像表示端末２に表示させる。
【００４６】
通常表示モードにおいてもワークリスト表示モードにおいても、図３に示すような読影レポート作成画面５０が、読影レポート作成装置１の表示部１に表示される。読影レポート作成画面５０には、患者情報及び依頼情報５２と、所見入力領域５３と、診断入力領域５４と、キー画像５５と、保存命令ボタン５６とが含まれている。
【００４７】
患者情報及び依頼情報５２としては、検査ＩＤや患者名等の患者情報と、依頼科や緊急・至急・通常等の依頼情報とが含まれる。所見入力領域５３には、読影医が、画像表示端末２に表示される医用画像について読影を行う際に、入力部１１０を用いて読影結果についての所見を入力する。診断入力領域５４には、診断医が、所見入力領域５３に記入された読影結果についての所見やキー画像５５を参考として、入力部１１０を用いて診断結果を入力する。
【００４８】
キー画像５５は、読影を行った複数の画像が存在する場合には、その内の１つを選択して、ＪＰＥＧ形式又はビットマップ形式等を用いて画像データを圧縮することにより、その画像データに基づいて表示される。保存命令ボタン５６は、作成が完了した読影レポートや作成途中の読影レポートの読影レポートデータを、読影レポートデータベース４２に格納するために用いられる。
【００４９】
次に、本実施形態に係る読影支援システムにおける読影順の制御とレポート作成動作について、図７を参照しながら説明する。図７は、図１に示す読影支援システムの動作を示すフローチャートである。
【００５０】
図７のステップＳ１０において、ユーザが読影レポート作成装置１にログインすると、それに応答して、読影レポート作成装置１が動作を開始し、ステップＳ２０において、読影順条件選択部１２が、ユーザの固有情報（例えば、アカウント）に基づいて、ユーザ固有の読影順条件が読影レポートサーバ４の読影順条件格納部４１に格納されているか否かを判定する。
【００５１】
読影順条件選択部１２は、ユーザ固有の読影順条件を発見した場合には、ユーザ固有の読影順条件を読影順条件格納部４１から読み出す。一方、読影順条件選択部１２は、ユーザ固有の読影順条件を発見できなかった場合には、ユーザの所属する施設の固有情報に基づいて、施設共通の読影順条件を読影順条件格納部４１から読み出す。読影順条件は、読影順条件設定部１１を用いて、予め設定及び登録しておくことも可能であるし、ステップＳ１１において、読影作業中に追加して登録することも可能である。
【００５２】
ステップＳ２２において、読影順決定部１３が、読影順条件に従って、読影レポートサーバ４の読影レポートデータベース４２において検査に関する情報を検索すると共に、ステップＳ２３において、読影レポートデータベース４２において情報が検索された検査に関するステータス情報を読み出す。また、ステップＳ２４において、読影順条件選択部１２が、読み出されたステータス情報に基づいて、選択された読影順条件における検査の進捗情報、即ち、読影レポートが確定していない検査の残数を、表示部１００に表示する。
【００５３】
ステップ２５において、読影順決定部１３が、ステップＳ２２において情報が検索された検査について、ステップＳ２３において読み出されたステータス情報に基づいて、読影順を決定し、次に読影を行うべき検査の検査ＩＤを情報入力部１５に出力する。ステップＳ２６において、読影順決定部１３が、決定された読影順に基づいて読影順リストを作成する。
【００５４】
ステップＳ２７において、情報入力部１５は、読影順決定部１３から入力した検査ＩＤに基づいて、次に読影を行うべき検査の読影レポートデータが存在しなければ、患者情報及び検査情報を読影レポートデータベース４２から取得する。ステップＳ２８において、情報入力部１５が、ステップＳ２７において取得した患者情報等を記入した読影レポート作成画面５０（図３）を表示部１００に表示する。
【００５５】
ステップＳ２９において、画像データ取得部１６が、次に読影を行うべき検査に関する画像データを画像サーバ３から取得し、画像データ出力部１７に出力する。ステップＳ３０において、画像データ出力部１７が、画像データ取得部１６から入力した画像データに基づいて、画像表示端末２に検査画像を表示する。
【００５６】
ステップＳ１２において、ユーザが、画像表示端末２に表示された医用画像を観察しながら、入力部１１０を用いて、読影レポート作成画面５０に従って所見等の入力を行う。それに応じて、情報入力部１５が、所見入力領域５３を書換えて、読影レポートを作成する（ステップＳ３１）。
【００５７】
ステップＳ１３において、ユーザが、読影レポート作成画面５０の保存命令ボタン５６を押下することにより保存命令を入力すると、ステップＳ３２において、情報入力部１５が、作成した読影レポートを表す読影レポートデータを読影レポートデータベース４２に格納することにより読影レポートを保存すると共に、その検査のステータス情報を変更する。
【００５８】
ステップＳ３３において、読影レポートサーバ４の画像入力状態監視部４３が、画像サーバ３における画像入力状態を監視することにより、新たな検査に関する画像データの入力を検出する。画像入力状態監視部４３によって新たな検査に関する画像データの入力が検出されると、読影レポート作成装置１の読影順決定部１３は、それに基づいて新たな読影順を決定し、読影順リストを更新する。なお。ステップＳ３３における画像入力状態の監視は、予め設定したタイミングで定期的に行うようにしても良い。
【００５９】
ステップＳ３５において、読影順決定部１３が、読影順リストに基づいて、読影を続行するか否かを判定する。読影を続行する場合には、処理がステップＳ２７に移行して、情報入力部１５が、新たな読影順に従って、次に検査する検査ＩＤを取得する。一方、読影を終了する場合には、ステップＳ１４において、ユーザが、読影レポート作成装置１のログアウトを行うと、処理が終了となる。
【産業上の利用可能性】
【００６０】
本発明は、医用画像の撮像後に医師によって行われる読影を支援するための読影支援システムにおいて利用することが可能である。
【図面の簡単な説明】
【００６１】
【図１】本発明の一実施形態に係る読影支援システムの構成を示すブロック図である。
【図２】図１に示す読影支援システムの詳細な構成を示すブロック図である。
【図３】読影レポート作成装置の表示部に表示される読影レポート作成画面を示す模式図である。
【図４】読影レポート作成装置の表示部に表示される読影順条件設定画面を示す模式図である。
【図５】読影順条件格納テーブルを示す図である。
【図６】ワークリスト作成部によって作成されるワークリストを示す模式図である。
【図７】図１に示す読影支援システムの動作を示すフローチャートである。
【符号の説明】
【００６２】
１  読影レポート作成装置
２  画像表示端末
３  画像サーバ
４  読影レポートサーバ
５  ＲＩＳ
６ａ  ＣＲ装置
６ｂ  ＣＴ装置
６ｃ  ＭＲＩ装置
１０  読影支援システム
１１  読影順条件設定部
１２  読影順条件選択部
１３  読影順決定部
１４  ワークリスト作成部
１５  情報入力部
１６  画像データ取得部
１７  画像データ出力部
４１  読影順条件格納部
４２  読影レポートデータベース
４３  画像入力状態監視部
５０、１０３  読影レポート作成画面
５１  読影順条件設定領域
５２  患者情報及び依頼情報
５３、１０１  所見入力領域
５４  診断入力領域
５５、１０２  キー画像
５６  保存命令ボタン
６０  読影順条件設定画面
６１  優先順位設定領域
６２、６３  有効ボタン
１００  表示部
１１０  入力部
１２０  ＣＰＵ
１３０  メモリ
１４０  ハードディスク制御部
１４１  ハードディスク
１５０  ネットワークインタフェース
【図１】
2007094513.tif 000003
【図２】
2007094513.tif 000004
【図３】
2007094513.tif 000005
【図４】
2007094513.tif 000006
【図５】
2007094513.tif 000007
【図６】
2007094513.tif 000008
【図７】
2007094513.tif 000009